(57)【要約】      （修正有）【課題】法面や山中の舗装のない斜面や登山道等の傾斜面に敷設され、支持材の立て掛ける角度が変わっても、容易に踏み板を設置角度に合わせて水平に保つことができる梯子を提供する。【解決手段】ステップ部３を足を載せる踏み板と、踏み板両側に配置された左右一対の側板とから構成し、左右一対の側板には対向位置に透孔を形成するとともに、透孔から離間した位置にそれぞれ長孔を形成し、長孔は透孔の中心から長孔の長手方向に沿った位置が等距離に構成される。複数のステップ部にはビーム２の外側から透孔にボルト１５が挿通され、ビームの外側からボルト１７が長孔内に配置される。ボルト１５がステップ部の回動中心となり、ボルト１７を相対的に長孔に沿って移動させ、踏み板上面が水平面となるようにボルト１７を固定する。【選択図】図１
0003218167.tif 000002
【実用新案登録請求の範囲】
【請求項１】
複数のステップ部と、同ステップ部が固定される左右一対の長尺の支持材と、同支持材を傾斜面に固定するアンカー部材と、を備えた梯子であって、
前記ステップ部は足を載せる踏み板と、同踏み板両側に配置され前記支持材内面に面する左右一対の側板とを有し、一対の前記側板には対向位置に透孔が形成されるとともに、前記透孔から離間した位置にそれぞれ長孔が形成され、前記長孔は前記透孔の中心から前記長孔の長手方向に沿った位置が等距離に構成され、
複数の前記ステップ部は前記支持材側から突出される左右一対の第１の支持軸が前記透孔内に配置され、前記支持材側から突出される左右一対の前記第２の支持軸が前記長孔内に配置されることで支持され、前記第１の支持軸は前記透孔内の定位置に配置されるととともに、前記第２の支持軸は前記長孔内において相対的に前記長孔に沿って移動可能に配置され、任意の位置で固定可能であることを特徴とする梯子。
【請求項２】
前記第１の支持軸はボルト部材であり、ナット部材と協働して前記支持材に対して前記側板を締め付け固定することを特徴とする請求項１に記載の梯子。
【請求項３】
前記第１の支持軸は前記透孔内に挿通されるピン部材であることを特徴とする請求項１又は２に記載の梯子。
【請求項４】
前記第２の支持軸はボルト部材であり、同ボルト部材は前記支持材外方より挿通されて先端寄りが前記側板の前記長孔を通過して前記側板の内側に至り、前記ボルト部材に対して前記側板の内側からナット部材を螺合させて前記支持材に対して前記側板を締め付け固定することで前記第２の支持軸の位置を固定するようにしたことを特徴とする請求項１〜３のいずれかに記載の梯子。
【請求項５】
前記長孔は長手方向に均等な曲率で湾曲して構成されていることを特徴とする請求項１〜４のいずれかに記載の梯子。
【考案の詳細な説明】
【技術分野】
【０００１】
本考案は、法面や山中の舗装のない斜面や登山道等の傾斜面に敷設される梯子に関するものである。
【背景技術】
【０００２】
従来から、工事中あるいは工事後の法面や山中の舗装のない斜面や登山道等に簡易的、つまり簡単に組み立てられ、また解体も容易な梯子が敷設されている。このような野外用簡易階段の一例として特許文献１を挙げる。特許文献１の梯子（名称としてはプレハブ式階段）では、ステップ部材８を固定するための棒状部材１８を傾斜面に設置しており、設置状態でステップ部材８の踏み板４の踏み面４ａが水平に配置されるように釘部材１２、１４で固定する。
【先行技術文献】
【特許文献】
【０００３】
【特許文献１】実用新案登録第６００８８２１号公報
【考案の概要】
【考案が解決しようとする課題】
【０００４】
しかし、特許文献１のような構成では、ステップ部材８を一旦固定した後は取り外すことは困難である。一方、傾斜面の角度は一定ではないので、棒状部材１８の設置角度はその傾斜に応じて若干変化するものである。そのため、ステップ部材８を固定した後に棒状部材１８の設置角度を変更した場合にはステップ部材８の踏み板４の踏み面４ａは水平とはならなくなってしまう。
【課題を解決するための手段】
【０００５】
上記の目的を達成するための第１の手段として、複数のステップ部と、同ステップ部が固定される左右一対の長尺の支持材と、同支持材を傾斜面に固定するアンカー部材と、を備えた梯子であって、前記ステップ部は足を載せる踏み板と、同踏み板両側に配置され前記支持材内面に面する左右一対の側板とを有し、一対の前記側板には対向位置に透孔が形成されるとともに、前記透孔から離間した位置にそれぞれ長孔が形成され、前記長孔は前記透孔の中心から前記長孔の長手方向に沿った位置が等距離に構成され、複数の前記ステップ部は前記支持材側から突出される左右一対の第１の支持軸が前記透孔内に配置され、前記支持材側から突出される左右一対の前記第２の支持軸が前記長孔内に配置されることで支持され、前記第１の支持軸は前記透孔内の定位置に配置されるととともに、前記第２の支持軸は前記長孔内において相対的に前記長孔に沿って移動可能に配置され、任意の位置で固定可能であるようにした。
これによって、ステップ部は第１の支持軸位置を中心に回動可能とされ、支持材の角度に合わせて踏み板が水平に配置されるように第２の支持軸を長孔に沿って移動させることができる。そして、任意の位置で固定されることによって踏み板を支持材の角度に合わせて水平に保つことが可能となる。第２の支持軸を任意の位置で固定する固定手段としては、例えば後述するボルト部材とナット部材がよい。長孔は長手方向に均等な曲率で湾曲して構成されていることがよい。
【０００６】
また、第２の手段として、前記第１の支持軸はボルト部材であり、ナット部材と協働して前記支持材に対して前記側板を締め付け固定するようにした。
また、第３の手段として、前記第１の支持軸は前記透孔内に挿通されるピン部材であるようにした。
これらは第１の支持軸の一例である。第１の支持軸は側板に対して相対的に回動可能に挿通されてもよく、回動不能（つまり固定的に）挿通されてもよい。
また、第４の手段として、前記第２の支持軸はボルト部材であり、同ボルト部材は前記支持材外方より挿通されてその先端寄りが前記側板の前記長孔を通過して前記側板の内側に至り、前記ボルト部材に対して前記側板の内側からナット部材を螺合させて前記支持材に対して前記側板を締め付け固定することで前記第２の支持軸の位置を固定するようにした。
踏み板を水平方向に配置する具体的な固定手段である。これによって、第２の支持軸をしっかりと長孔の任意の位置に固定することが可能となる。
【考案の効果】
【０００７】
本考案によれば、支持材の立て掛ける角度が変わっても、第２の支持軸を長孔に沿って移動させることで、ステップ部を回動させ、容易に踏み板を支持材の設置角度に合わせて水平に保つようにすることができる。
【図面の簡単な説明】
【０００８】
【図１】実施の形態の梯子の部分側面図。
【図２】同じ実施の形態の梯子の部分正面図。
【図３】（ａ）は図１のＡ−Ａ線でのステップ部の縦端面図、（ｂ）はビームにおいて、ステップ部の配置位置における透孔同士又は透孔と長孔の照合状態を説明する説明図。
【考案を実施するための形態】
【０００９】
以下、本考案の実施の形態である梯子の一例について図面に基づいて説明する。
図１に示すように、梯子１は傾斜面Ｓに立て掛けるように敷設される。図１及び図２に示すように、梯子１は左右一対の長尺の支持材としてのプラスチック製のビーム２と、ビーム２間に配設された複数のステップ部３と梯子１を傾斜面Ｓに固定するためのアンカー部材としてのプラスチック杭４とを備えている。
ビーム２は横断面長方形形状に構成されており、図３（ｂ）に示すようにステップ部３を支持するための上下２つの透孔５、６が各ステップ部３の配置位置に対応して形成されている。本実施の形態では左右のビーム２の間には等間隔でプラスチック製の６つのステップ部３が配設される。
【００１０】
図１〜図３に示すように、ステップ部３は平面視長方形状の天板７と、天板７の左右に下垂される変形５角形形状の側板８と、天板７と側板８の後方側であって、天板７から下垂される正面視長方形状の垂れ壁９とから構成されている。天板７の上面には多数の凹凸からなる滑り止め１０が形成されている。
図３（ａ）に示すように、左右の側板５にはそれぞれ下方に配置された円形の透孔１１と、透孔１１の斜め上方に配置された長孔１２が形成されている。長孔１２は透孔１１の中心と同じ中心の円の外周に沿った均等な曲率の溝で長手方向に湾曲して構成されている。ステップ部３の側板８はその平面に構成された外面においてビーム２の内面に当接させられており、図３（ｂ）に示すように、透孔１１はビーム２の下側の透孔６と照合させられ、長孔１２はビーム２の上側の透孔５と照合させられている。
透孔６、１１の照合状態でビーム２の外方からボルト１５を挿通して側板５の内側でナット１６を締結する。ボルト１５は先端寄りのみ雄ネジが形成された半ネジを使用する。これによってステップ部３はビーム２に回動可能に支持されることとなる。長孔１２は長手方向において透孔１１から等距離であるため透孔５は常に長孔１２内に配置される。設置される傾斜面Ｓに対してステップ部３の天板７上面が水平に配置されるように調整し、ビーム２の外方から透孔５及び長孔１２にボルト１７を挿通し側板５の内側でナット１８を締結する。この場合はボルト１７は半ネジではなく全ネジタイプを使用する。
このように６つのステップ部３が所定の同じ角度で固着された状態の複数のユニットをビーム２同士を上下方向で連結することで梯子１が完成する。図１及び図２に示すように、連結は連結プレート１９を木ネジ２１で固定して行う。また、図１及び図２に示すように、プラスチック杭４はビーム２の外側に所定間隔で木ネジ２３によって固定する。
【００１１】
このような構成の梯子１では次のような効果が奏される。
（１）現地で実際に梯子１を設置する場合に、ビーム２の敷設角度が予定と違っていたり敷設する地形の傾斜が微妙に異なっていても、ボルト１７とナット１８を緩めることで、ステップ部３の天板７上面が水平に配置されるように調整することが可能となる。
（２）設置場所のビーム２の敷設角度は区区であっても、ステップ部３の角度を調整するだけで同じ形状の梯子１を使用できるため、設置場所に応じて様々なタイプを用意する必要がなく低コスト化に貢献する。
（３）天板７の水平角度を調整する際に、ステップ部３の下側のボルト１５を回動軸としてステップ部３を回動させるだけで容易に天板７の水平角度を調整できる。
（４）ステップ部３の前面は開放されていて、ナット１６にアクセスしやすいため、現地で容易にステップ部３の角度を変えられる。
【００１２】
上記実施の形態は本考案の原理およびその概念を例示するための具体的な実施の形態として記載したにすぎない。つまり、本考案は上記の実施の形態に限定されるものではない。本考案は、例えば次のように変更した態様で具体化することも可能である。
・上記梯子１の形状は上記は一例であるため、他の形態で実施することも自由である。例えば、ステップ部３の構成は一例であり、アンカー部材としてのプラスチック杭４を他の形状としたり数を変えたりすることも可能である。ステップ部３の間隔も上記は一例である。また、アンカー部材としてプラスチック杭４ではなく鉄筋杭を使用することも可能である。
・例えば、支持軸としてボルト１５やボルト１７ではなく、ビーム２の内面に金属の支持軸を埋設して内方に突起させるように構成してもよい。
・例えば、木ネジ２１、２３の代わりに締結手段としてボルトとナットを使用してもよい。
本考案は上述した実施の形態に記載の構成に限定されない。上述した各実施の形態や変形例の構成要素は任意に選択して組み合わせて構成するとよい。また各実施の形態や変形例の任意の構成要素と、考案を解決するための手段に記載の任意の構成要素または考案を解決するための手段に記載の任意の構成要素を具体化した構成要素とは任意に組み合わせて構成するとよい。これらについても本願の補正または特許出願への変更等において権利取得する意思を有する。
【符号の説明】
【００１３】
１…梯子、２…支持材としてのビーム、３…ステップ部、４…アンカー部材としてのプラスチック杭、７…踏み板、８…側板、１１…透孔、１２…長孔、１５…第１の支持軸としてのボルト、１７…第２の支持軸としてのボルト。
【図１】
0003218167.tif 000003
【図２】
0003218167.tif 000004
【図３】
0003218167.tif 000005